(57)【要約】【課題】筒状に組み付け可能な半割状の一対の分割カバー体から構成しながらも使用時の外観が優れた配管カバーを提供する。【解決手段】内部に配管収納スペースを形成する筒状に組み付け可能な半割状の一対の分割カバー体１４、１５から構成され、両分割カバー体１４、１５を係合させる係合部１６が両分割カバー体１４、１５の対向端面部１４ａ、１５ａ間に備えられている配管カバーであって、両分割カバー体１４、１５を係合部１６で係合させた状態で外面側に現れる両分割カバー体１４、１５の接続箇所を外側から覆い隠す被覆片部２０が、一方の分割カバー体１４の外面部を外方に隆起させる状態に外方に偏倚させた外方持ち出し姿勢で一方の分割カバー体１４に備えられている。【選択図】図９
2011163540.tif 000002
【特許請求の範囲】
【請求項１】
内部に配管収納スペースを形成する筒状に組み付け可能な半割状の一対の分割カバー体から構成されているとともに、両分割カバー体を係合させる係合部が両分割カバー体の対向端面部間に備えられている配管カバーであって、
前記両分割カバー体を前記係合部で係合させた状態で外面側に現れる両分割カバー体の接続箇所を外側から覆い隠す被覆片部が、一方の分割カバー体の外面部を外方に隆起させる状態に外方に偏倚させた外方持ち出し姿勢で一方の分割カバー体に備えられている配管カバー。
【請求項２】
前記係合部が、両分割カバー体の対向端面部のうちの一方側の端面部の内方領域で突出する内側係合片部と、両分割カバー体の対向端面部のうちの他方側の端面部の外方領域で突出する外側係合片部とから構成されているとともに、
前記被覆片部が、前記外側係合片部を挟持可能な挟持用凹部を前記内側係合片部との間に形成する状態で、内側係合片部を有する側の分割カバー体に備えられている請求項１記載の配管カバー。
【請求項３】
前記係合部が、両分割カバー体の対向端面部のうちの一方側の端面部の内方領域で突出する内側係合片部と、両分割カバー体の対向端面部のうちの他方側の端面部の外方領域で突出する外側係合片部とから構成されているとともに、
前記内側係合片部を有する側の分割カバー体に、内側係合片部よりも端面部からの突出寸法が大なる形態で前記被覆片部を形成することにより、又は、前記外側係合片部を備えた分割カバー体に、外側係合片部よりも端面部からの突出寸法が大なる形態で前記被覆片部を形成することにより、前記被覆片部が、両分割カバー体の近接移動操作に連れて内側係合片部と外側係合片部とを係合案内する案内片部に兼用構成されている請求項１記載の配管カバー。
【発明の詳細な説明】
【技術分野】
【０００１】
本発明は、例えば、建物のスラブや壁に沿って配設されるドレンホースや冷媒管等の配管を被覆するのに用いられる配管カバーに関する。
【背景技術】
【０００２】
この種の配管カバーは、内部に配管収納スペースを形成する筒状に組み付け可能な半割状の一対の分割カバー体から構成されているとともに、両分割カバー体を係合させる係合部が両分割カバー体の対向端面部間に備えられている。
【０００３】
そして、従来、図１１に示すように、前記係合部２４が、一方の分割カバー体２５の端面部２５ａの内方領域で突出する内側係合片部２５ｂと、他方の分割カバー体２６の端面部２６ａの外方領域で突出する外側係合片部２６ｂとから構成されたものがある。
【発明の概要】
【発明が解決しようとする課題】
【０００４】
上記従来の配管カバーでも、図１１（ａ）に示すように、前記両分割カバー体を前記係合部で係合させた状態で両分割カバー体の対向端面部どうしがぴったりと突き合せされば、外面側に現れる両分割カバー体の接続箇所の外観が不恰好になることはない。
ところが、配管の数量や施工条件等の種々の事情によって両分割カバー体の対向端面部どうしをぴったりと突き合せるが難しいことから、外面側に現れる突き合せラインに歪みが生じたり、突き合せラインの所々に隙間が生じたり、或いは、図１１（ｂ）に示すように、突き合せラインそのものが隙間や凹溝になったりするなど、両分割カバー体を係合させた状態で外面側に現れる接続箇所が不恰好になり易く、そのことが、使用時に配管カバーの外観を損ねる要因になっていた。
そして、このことは、当該配管カバーが人の目に付く建物の外壁面にも多く用いられることから、建物全体の外観をも損ねる重大な問題を招いていた。
【０００５】
本発明は、上述の実状に鑑みて為されたものであって、その主たる課題は、筒状に組み付け可能な半割状の一対の分割カバー体から構成しながら、使用時の外観も優れた配管カバーを提供する点にある。
【課題を解決するための手段】
【０００６】
本発明の第１特徴構成は、内部に配管収納スペースを形成する筒状に組み付け可能な半割状の一対の分割カバー体から構成されているとともに、両分割カバー体を係合させる係合部が両分割カバー体の対向端面部間に備えられている配管カバーであって、
前記両分割カバー体を前記係合部で係合させた状態で外面側に現れる両分割カバー体の接続箇所を外側から覆い隠す被覆片部が、一方の分割カバー体の外面部を外方に隆起させる状態に外方に偏倚させた外方持ち出し姿勢で一方の分割カバー体に備えられている点にある。
【０００７】
上記構成によれば、前記両分割カバー体を前記係合部で係合させた状態で外面側に現れる両分割カバー体の接続箇所の外側に被覆片部が存在するから、突き合せラインの歪みや部分的な隙間や凹部或いは全体に亘る隙間や凹部が生じ得る両分割カバー体の接続箇所が外部に露出することがなく、その接続箇所の存在で使用時に外観が損なわれる不都合を確実に防止することができる。
【０００８】
しかも、前記被覆片部を分割カバー体の側壁部の延長線上に形成する場合のように、係合用の構造を両分割カバー体の内面側に設ける必要がないから、配管収納スペースも広く確保することができる。
【０００９】
さらに、例えば、両分割カバー体どうしの接続箇所の外面側にシール材を付設する場合には、被覆片部の先端部をシール材付設用のガイドにすることができるから、シール材の付設作業の容易化を図ることができるとともに、シール材の仕上がりも綺麗にすることができる。
【００１０】
本発明の第２特徴構成は、前記係合部が、両分割カバー体の対向端面部のうちの一方側の端面部の内方領域で突出する内側係合片部と、両分割カバー体の対向端面部のうちの他方側の端面部の外方領域で突出する外側係合片部とから構成されているとともに、
前記被覆片部が、前記外側係合片部を挟持可能な挟持用凹部を前記内側係合片部との間に形成する状態で、内側係合片部を有する側の分割カバー体に備えられている点にある。
【００１１】
上記構成によれば、前記外側係合片部を挟持可能な挟持用凹部を前記被覆片部の存在を利用する形態で構成することができるから、前記係合部の係合力を効率的に高めることができる。
【００１２】
本発明の第３特徴構成は、前記係合部が、両分割カバー体の対向端面部のうちの一方側の端面部の内方領域で突出する内側係合片部と、両分割カバー体の対向端面部のうちの他方側の端面部の外方領域で突出する外側係合片部とから構成されているとともに、
前記内側係合片部を有する側の分割カバー体に、内側係合片部よりも端面部からの突出寸法が大なる形態で前記被覆片部を形成することにより、又は、前記外側係合片部を備えた分割カバー体に、外側係合片部よりも端面部からの突出寸法が大なる形態で前記被覆片部を形成することにより、前記被覆片部が、両分割カバー体の近接移動操作に連れて内側係合片部と外側係合片部とを係合案内する案内片部に兼用構成されている点にある。
【００１３】
上記構成によれば、両分割カバー体の近接移動操作に連れて内側係合片部と外側係合片部とを係合案内する案内片部を前記被覆片部の存在を利用する形態で構成することができるから、両分割カバー体の係合操作の操作性を効率的に高めることができる。
【図面の簡単な説明】
【００１４】
【図１】配管カバー構造の構成図
【図２】直管状カバーとエルボカバーの接続部を示す縦断面図
【図３】直管状カバーとエルボカバーの接続部を示す分解斜視図
【図４】第一分割カバー体の背面図
【図５】第一分割カバー体の横断面の説明図
【図６】第二分割カバー体の背面図
【図７】第二分割カバー体の横断面の説明図
【図８】直管状カバーとエルボカバーの接続部を示す横断面図
【図９】両分割カバー体の係合構造を示す説明図
【図１０】両分割カバー体の係合構造の別実施形態を示す説明図
【図１１】従来の両分割カバー体の係合構造を示す説明図
【発明を実施するための形態】
【００１５】
［第１実施形態］
図１は、冷媒管やドレンホース等の配管類Ｐを覆う複数種の合成樹脂製等の配管カバーＣを室内機１側と室外機２側とに亘る配管類配設ルートに沿って配設した配管カバー構造を示す。
【００１６】
前記配管カバー構造は、吊り金具３や固定金具４などにより床スラブＳや壁Ｗに支持される筒状の直管状カバー５（配管カバーＣの一例）と、配管類配設ルートの曲がり部において交差姿勢にある直管状カバー５どうしを接続する筒状のエルボカバー６（配管カバーＣの一例）と、同じ姿勢にある直管状カバー５どうしを接続する筒状の連結カバー７（配管カバーＣの一例）と、直管状カバー５の軸芯方向の端部に配設される筒状の端末カバー８（配管カバーＣの一例）などから構成されている。
【００１７】
図３に示すように、前記直管状カバー５は、円筒状に組み付け可能な一対の半割状の分割カバー体９、１０から構成されている。当該分割カバー体９、１０の間には、径方向からの相対近接操作で係合する係合部９ａと被係合部１０ａが軸芯方向に沿って延設されている。また、直管状カバー５の両分割カバー体９、１０の側壁部には、前記吊り金具３や固定金具４の先端側を係止させる係止用溝部９ｂ、１０ｂが軸芯方向に沿って延設されている。
【００１８】
図２〜図９に示すように、前記エルボカバー６の軸芯方向の両端側には、前記直管状カバー５の軸芯方向の一端部を内嵌状態且つ抜け止め状態で接続可能な接続口部１１が備えられている。当該エルボカバー６の内面部における接続口部１１の近傍箇所には、接続された直管状カバー５の外周面に対して抜け止め作用させる抜け止め片を備えた金属製等の抜け止め部材１２が周方向の複数箇所に備えられているとともに、直管状カバー５を接続した状態で直管状カバー５の外周面に当接して直管状カバー５とエルボカバー６との間でのガタツキを防止する複数の突部１３ａや直管状カバー５の差込長さを規制する突部１３ｂが隆起形成されている。
【００１９】
前記エルボカバー６は、約９０度曲がりの円筒状に組み付け可能な半割状の第一、第二分割カバー体１４、１５から構成されているとともに、両分割カバー体１４、１５の対向端面部１４ａ、１５ａ（つまり、両分割カバー体１４、１５の側壁部１４Ａ、１５Ａの端面部）を突き合わせる状態で又は近接させる状態で両分割カバー体１４、１５を係合させる係合部１６が両分割カバー体１４、１５の対向端面部１４ａ、１５ａ間に備えられている。
【００２０】
また、第一分割カバー体１４の内面部には、外面側から固定ビス１７がネジ込み可能な取付け孔を備えた取付け筒部２２が一体形成されているとともに、第二分割カバー体１５の内面部には、前記固定ビス１７を螺着させるネジ受け孔を備えた被取付け筒部２３が一体形成されている。
【００２１】
つまり、当該エルボカバー６は、例えば、第二分割カバー体１５の所定箇所に直管状カバー５の軸芯方向の端部を配置した状態で第一分割カバー体１４を第二分割カバー体１５に対して径方向に沿って近接移動させて両者を係合させ、更に、前記固定ビス１７で両分割カバー体１４、１５を螺合接続することによって、容易且つ強固に組み付け可能に構成されている。
【００２２】
前記第一分割カバー体１４の前記端面部１４ａには、径方向の内方領域で突出する内側係合片部１４ｂが側壁部１４Ａの全長に亘る状態で延設されているとともに、前記第二分割カバー体１５の前記端面部１５ａには、径方向の外方領域で突出する外側係合片部１５ｂが側壁部１５Ａの全長に亘る状態で延設されている。
【００２３】
前記両係合片部１４ｂ、１５ｂは、図８、図９に示すように、両分割カバー体１４、１５の対向端面部１４ａ、１５ａが近づくに連れて係合力が増大するように基端側ほど僅かに厚みが増大する細長い略台形断面形状に構成されている。
【００２４】
つまり、前記内側係合片部１４ｂと前記外側係合片部１５ｂとでもって、両分割カバー体１４、１５を近づける近接移動操作により両分割カバー体１４、１５を係合させる前記係合部１６が構成されている。
【００２５】
前記第一分割カバー体１４には、両分割カバー体１４、１５の対向端面部１４ａ、１５ａを突き合わせた状態で外面側に現れる突合せライン（両分割カバー体１４、１５の接続箇所の一例）や、両分割カバー体１４、１５の対向端面部１４ａ、１５ａを近接させた状態で外面側に現れる溝条や隙間（両分割カバー体１４、１５の接続箇所の一例）を外側から覆い隠す被覆片部２０が、第一分割カバー体１４の外面部を外方に隆起させる状態に外方に偏倚させた外方持ち出し姿勢で備えられている。
【００２６】
より具体的には、前記被覆片部２０は、第一分割カバー体１４の両側壁部１４Ａの端部外面側から外方に持ち出したのちに第二分割カバー体１５の側に延出させる形態で、第一分割カバー体１４の両側壁部１４Ａの全長に亘って形成されている。
【００２７】
そして、第一分割カバー体１４の内側係合片部１４ｂと被覆片部２０との間には、前記外側係合片部１５ｂを挟持可能な奥側ほど幅狭となる挟持用溝部１４ｃ（挟持用凹部の一例）が、第一分割カバー体１４の両側壁部１４Ａの全長に亘って形成されている。
【００２８】
前記被覆片部２０は、図８、図９に示すように、前記両係合片部１４ｂ、１５ｂの変形で係合状態が不測に外れたり、或いは、外力で両係合片部が破損したりするのを抑止するように、前記両係合片部１４ｂ、１５ｂよりも大なる厚み寸法に構成されている。
【００２９】
また、前記被覆片部２０は、図５、図９に示すように、第一分割カバー体１４の端面部１４ａからの突出寸法Ｌ１を内側係合片部１４ｂの突出寸法Ｌ２よりも大に構成することによって、両分割カバー体１４、１５の径方向からの近接移動操作に連れて内側係合片部１４ｂと外側係合片部１５ｂとを係合案内する案内片部に兼用構成されている。
【００３０】
さらに、両分割カバー体１４、１５の接続箇所の外面側にシール材を充填する際により良好な作業性やシール性が得られるように、前記第二分割カバー体１５の両側壁部１５Ａの外面部における端面部１５ａから僅かに天井壁部側に偏倚した箇所には、両分割カバー体１４、１５の対向端面部１４ａ、１５ａどうしを突き合せた状態で被覆片部２０の先端部と第二分割カバー体１５の外周面との間に僅かな隙間を形成する段部２１が形成されている。
【００３１】
なお、連結カバー７、端末カバー８の係合や組み付けに係る基本構成は前述したエルボカバー６と同様であるので説明は省略する。
【００３２】
［その他の実施形態］
（１）前述の実施形態では、前記被覆片部２０を両分割カバー体１４、１５の近接移動操作に連れて内側係合片部１４ｂと外側係合片部１５ｂとを係合案内する案内片部に兼用構成するのに、内側係合片部１４ｂを有する第一分割カバー体１４に、それの端面部からの突出寸法Ｌ１が内側係合片部１４ｂの突出寸法Ｌ２よりも大なる形態で被覆片部２０を形成する場合を例に示したが、例えば、図１０に示すように、第一分割カバー体１４に外側係合片部１４ｄを形成し、且つ、第二分割カバー体１５に内側係合片部１５ｄを形成するとともに、外側係合片部１４ｄを備えた第一分割カバー体１４に、それの端面部からの突出寸法Ｌ１が外側係合片部の突出寸法Ｌ３よりも大なる形態で被覆片部２０を形成するなどであってもよい。
【００３３】
（２）前述の実施形態では、前記被覆片部の端面部からの突出寸法Ｌ１を係合片部１４ｂの突出寸法Ｌ２よりも大に構成する場合を例に示したが、前記被覆片部の端面部からの突出寸法Ｌ１と係合片部１４ｂの突出寸法Ｌ２を同じ又は略同じにしたり、或いは、前記被覆片部の端面部からの突出寸法Ｌ１を係合片部１４ｂの突出寸法Ｌ２よりも小に構成したりしてもよい。
【００３４】
（３）本発明は、前述の実施形態で説明したエルボカバー６、連結カバー７、端末カバー８に限らず、直管状カバー５などの種々の配管カバーＣに適用することができる。
【符号の説明】
【００３５】
１４、１５      分割カバー体
１４ａ、１５ａ  端面部
１４ｂ          内側係合片部
１４ｃ          挟持用凹部
１５ｂ          外側係合片部
１６            係合部
２０            被覆片部
【図１】
2011163540.tif 000003
【図２】
2011163540.tif 000004
【図３】
2011163540.tif 000005
【図４】
2011163540.tif 000006
【図５】
2011163540.tif 000007
【図６】
2011163540.tif 000008
【図７】
2011163540.tif 000009
【図８】
2011163540.tif 000010
【図９】
2011163540.tif 000011
【図１０】
2011163540.tif 000012
【図１１】
2011163540.tif 000013